(57)【要約】【課題】  パワーサプライのオーバーロード保護制御機構の提供。【解決手段】  主にパワーサプライ、制御機構を含む。該パワーサプライ内部に設置するオーバーロード保護回路は該パワーサプライが出力する電力値を取得し発信信号直流電力出力状態を決定する。該制御機構は該パワーサプライの電力出力端に第一コネクタを設置し、一端に対応し電気的に連接する第一コネクタを備える第二コネクタを設置し、電力を末端の電子装置の転換部品にスイッチする。さらに該第一コネクタと該第二コネクタが構成する電気的接続状態の相互に接合する位置には制御部品を設置し、該制御部品は該第一、第二コネクタの電気的接続状態において第一信号を発生する。該第一、第二コネクタは電気的に分離状態にある時には第二信号を発生し、該第一信号は該オーバーロード保護回路に入り、該第一オーバーロード保護メカニズムに進入し、該第二信号は該オーバーロード保護回路に入り、該第二オーバーロード保護メカニズムに進入する。【選択図】        図３
0003128195.tif 000002
【実用新案登録請求の範囲】
【請求項１】
パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一コネクタを設置し、一端に対応し電気的に連接する第一コネクタを備える第二コネクタを設置し、電力を末端の電子装置の転換部品にスイッチし、さらに該第一コネクタと該第二コネクタが構成する電気的接続状態の相互に接合する位置には制御部品を設置し、該制御部品は該第一、第二コネクタの電気的接続状態において第一信号を発生し、しかも該第一、第二コネクタは電気的に分離状態にある時には第二信号を発生し、該第一信号は該オーバーロード保護回路に入り、該第一オーバーロード保護メカニズムに進入し、該第二信号は該オーバーロード保護回路に入り、該第二オーバーロード保護メカニズムに進入することを特徴とするパワーサプライのオーバーロード保護制御機構。
【請求項２】
パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一電力線を通して、該パワーサプライ電力出力端の第一コネクタを接続し、及び電子装置に対応し電気的に接続する第一コネクタの第六コネクタを設置し、しかも該第一コネクタと該第六コネクタにおいて電気接続状態を構成する接合位置には制御部品を設置し、該制御部品は該第一、第六コネクタが電気接続状態にある時には第一信号を発し、しかも該第一、第六コネクタが電気分離状態にある時には第二信号を発することを特徴とするパワーサプライのオーバーロード保護制御機構。
【請求項３】
請求項１或いは請求項２記載のパワーサプライのオーバーロード保護制御機構において、前記制御部品はスイッチ装置で、該スイッチ装置は可動柱、該可動柱に往復移動を提供するバネとスイッチを含むことを特徴とするパワーサプライのオーバーロード保護制御機構。
【考案の詳細な説明】
【技術分野】
【０００１】
本考案は一種のパワーサプライのオーバーロード保護制御機構に関する。特に一種のコネクタの電気接続状態によりオーバーロード保護回路の発信信号直流電力出力状態を調整するパワーサプライのオーバーロード保護制御機構に係る。
【背景技術】
【０００２】
コンピュータシステムの作業速度に対する使用者のニーズは、より迅速化に向かっているため、システムのCPUと周辺電子装置が必要とする電力もそれに従い増加しており、コンピュータシステム中で使用されるパワーサプライもより大きな電力出力が求められるようになっている。しかし、パワーサプライはその設計時に、人体に対して電力が発生し得る傷害或いは影響を考慮するため、出力電力には制限エネルギー参考値(最大出力電力Max VA)が設定されている。現在の規範の多くは２４０VAで、出力は１２Vを例とする。すなわち、最高出力電流は２０Aに限定されており(SSI或いはUL標準)、また電気設備のパワーサプライには危険エネルギー(Energy Hazard)の標準がある。それが規定するパワーサプライの最大出力電力は２４０VAを超えず、こうして一般のコンピュータ使用者の安全を保護している。
【０００３】
このため、電流出力を調整する多種のパワーサプライ制御回路が市販されている。特許文献１が掲示する電流制限モードを備えるパワーサプライ制御回路は、主にパワーサプライの電源出力回路を制御し、エネルギーを基準以下に制限する設計の電流制限比較回路で、回路の選択を通して該電流制限比較回路を一対一方式、一対多方式、多対多方式、或いは多対一方式に使用者が自身で切り替え決定し、ロードと単一或いは総合電流制限比較回路の比較を行う。こうして使用者は異なるロード組合せの電力使用状態に対して、単一パワーサプライにおいて自身で切り替え選択を行うため、多種の異なる規格のパワーサプライを製作する必要はなくなる。
【０００４】
【特許文献１】台湾特許第200619915号明細書
【０００５】
しかし、上記電流制限モードを備えるパワーサプライ制御回路では、使用者は判断後に回路の選択を通して電流制限比較回路をどの方式に切り替えるかを自身で決定する必要があるが、もし使用者がパワーサプライ後端電子装置の電力使用状態に対して詳しくなく、電流制限比較回路の切り換え方式を判断することができない時には、電子装置を正常に操作することができなくなってしまう。
この他、実際の作業時には、回路選択は手動でスイッチを切り換えるが、使用者が電器操作時に手動式切り替えスイッチに誤って接触したなら、電子装置は電力の瞬間的変化を生じ、電子装置を毀損してしまう。
【考案の開示】
【考案が解決しようとする課題】
【０００６】
本考案は主に使用者はコネクタが呈する電気接続状態において、自動的にオーバーロード保護回路の出力信号直流電力出力状態を切り替え、使用者は該オーバーロード保護回路に対する不明瞭により該オーバーロード保護回路の電力状態を正確に切り換えることができないという状況を避けることができ、さらには、該オーバーロード保護回路の切り替えスイッチへの誤接触を防ぎ、電子装置に損害を与える恐れを払拭することができる。
【０００７】
すなわちそれは、パワーサプライのオーバーロード保護制御機構を提供し、パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一コネクタを設置し、一端に対応し電気的に連接する第一コネクタを備える第二コネクタを設置し、電力を末端の電子装置の転換部品にスイッチし、さらに該第一コネクタと該第二コネクタが構成する電気的接続状態の相互に接合する位置には制御部品を設置し、該制御部品は該第一、第二コネクタの電気的接続状態において第一信号を発生し、しかも該第一、第二コネクタは電気的に分離状態にある時には第二信号を発生し、該第一信号は該オーバーロード保護回路に入り、該第一オーバーロード保護メカニズムに進入し、該第二信号は該オーバーロード保護回路に入り、該第二オーバーロード保護メカニズムに進入する。
【０００８】
さらにそれは、モジュール化パワーサプライの他に旧規格のパワーサプライでもオーバーロード保護回路の発信信号直流電力出力状態を自動的に切り換えることができる。
【０００９】
すなわちそれは、パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一電力線を通して、該パワーサプライ電力出力端の第一コネクタを接続し、及び電子装置に対応し電気的に接続する第一コネクタの第六コネクタを設置し、しかも該第一コネクタと該第六コネクタにおいて電気接続状態を構成する接合位置には制御部品を設置し、該制御部品は該第一、第六コネクタが電気接続状態にある時には第一信号を発し、しかも該第一、第六コネクタが電気分離状態にある時には第二信号を発し、該第一信号は該オーバーロード保護回路に入り、該第一オーバーロード保護メカニズムに進入し、該第二信号は該オーバーロード保護回路に入り、該第二オーバーロード保護メカニズムに進入するパワーサプライのオーバーロード保護制御機構を提供する。
【課題を解決するための手段】
【００１０】
請求項１の考案は、パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一コネクタを設置し、一端に対応し電気的に連接する第一コネクタを備える第二コネクタを設置し、電力を末端の電子装置の転換部品にスイッチし、さらに該第一コネクタと該第二コネクタが構成する電気的接続状態の相互に接合する位置には制御部品を設置し、該制御部品は該第一、第二コネクタの電気的接続状態において第一信号を発生し、しかも該第一、第二コネクタは電気的に分離状態にある時には第二信号を発生し、該第一信号は該オーバーロード保護回路に入り、該第一オーバーロード保護メカニズムに進入し、該第二信号は該オーバーロード保護回路に入り、該第二オーバーロード保護メカニズムに進入することを特徴とするパワーサプライのオーバーロード保護制御機構としている。
請求項２の考案は、パワーサプライ、制御機構を含み、
該パワーサプライ内部に設置するオーバーロード保護回路は該パワーサプライが出力する電力値を取得し発信信号直流電力出力状態を決定し、
該制御機構は該パワーサプライの電力出力端に第一電力線を通して、該パワーサプライ電力出力端の第一コネクタを接続し、及び電子装置に対応し電気的に接続する第一コネクタの第六コネクタを設置し、しかも該第一コネクタと該第六コネクタにおいて電気接続状態を構成する接合位置には制御部品を設置し、該制御部品は該第一、第六コネクタが電気接続状態にある時には第一信号を発し、しかも該第一、第六コネクタが電気分離状態にある時には第二信号を発することを特徴とするパワーサプライのオーバーロード保護制御機構としている。
請求項３の考案は、請求項１或いは請求項２記載のパワーサプライのオーバーロード保護制御機構において、前記制御部品はスイッチ装置で、該スイッチ装置は可動柱、該可動柱に往復移動を提供するバネとスイッチを含むことを特徴とするパワーサプライのオーバーロード保護制御機構としている。
【考案の効果】
【００１１】
本考案は制御部品を運用することで、使用者は手動でオーバーロード保護回路切り換えを判別する必要がなくなり、第一、第二コネクタの電気接続状態と電気分離状態により、制御部品の触動を通して、該オーバーロード保護回路は自動的に第一、第二オーバーロード保護メカニズムに切り替え、異なる電力状態を呈する。こうして、使用者は該オーバーロード保護回路に対する不明瞭により該オーバーロード保護回路の電力状態を正確に切り換えることができないという状況を避けることができ、さらには、該オーバーロード保護回路の切り替えスイッチへの誤接触を防ぎ、電子装置に損害を与える恐れを払拭することができる。さらに転換部品はモジュール化或いは旧規格のパワーサプライを電子装置に電気的に接続することができ、第一コネクタと第二コネクタの接続により制御部品の触動を提供し、こうして電子装置の構造を改変する必要がないという状況において、制御部品への触動を提供可能で、オーバーロード保護回路の第一、第二オーバーロード保護メカニズムを切り替えることができる。
【考案を実施するための最良の形態】
【００１２】
本考案第一最適実施例の構造表示図である図１、本考案第一最適実施例の立体表示図である図２に示すように、本考案パワーサプライのオーバーロード保護制御機構はパワーサプライ１、制御機構２を含む。
該パワーサプライ１内部にはオーバーロード保護回路１０を設置する。
該制御機構２は第一オーバーロード保護メカニズムと第二オーバーロード保護メカニズムの何れかを選択し、該オーバーロード保護回路１０の状態をそれに決定する。
該オーバーロード保護回路１０は該パワーサプライ１が出力する電力値を取得し、発信信号直流電力出力状態を決定する。本実施例では、該パワーサプライ１はモジュール化パワーサプライで、しかも該オーバーロード保護回路１０の発信信号直流電力出力状態は正常出力電力状態及び切断或いは一時停止出力電力状態を含む。
該制御機構２は該パワーサプライ１の電力出力端に第一コネクタ２０を設置し、一端に対応し電気的に連接する第一コネクタ２０を備える第二コネクタ２２０を設置し、電力を末端の電子装置３の転換部品２２にスイッチする。さらに該第一コネクタ２０と該第二コネクタ２２０が構成する電気的接続状態の相互に接合する位置には制御部品４を設置する。該制御部品４は該第一、第二コネクタ２０、２２０の電気的接続状態において第一信号を発生し、しかも該第一、第二コネクタ２０、２２０は電気的に分離状態にある時には第二信号を発生する。該第一信号は該オーバーロード保護回路１０に入り、該第一オーバーロード保護メカニズムに進入する。該第二信号は該オーバーロード保護回路１０に入り、該第二オーバーロード保護メカニズムに進入する。本実施例では、該第一オーバーロード保護メカニズムと該第二オーバーロード保護メカニズムにより、該オーバーロード保護回路１０は正常出力電力状態及び切断或いは一時停止出力電力状態を呈する。
【００１３】
本考案第一最適実施例制御部品の立体表示図である図３に示すように、該制御部品４は第一コネクタ２０の第一端子ピン位置２００内部に設置するスイッチで、該制御部品４は可動柱４０、バネ４２、スイッチ４４により構成する。
該バネ４２は該可動柱４０に往復移動を提供する。
該制御部品４は自由状態にいては第一信号を発生し、しかも該制御部品４は該第二コネクタ２２０上の該第一端子ピン位置２００に対応する第二端子ピン位置２２２内端面の接触を受け第二信号を発生する。本実施例では、該第一コネクタ２０と該第二コネクタ２２０はそれぞれ６PINの凹凸コネクタであるが、実際には２、４、８、２０、２４PIN型式のコネクタとすることもできる。この他、該第二コネクタ２２０の該第二端子ピン位置２２２２内端面には凸部(図示なし)を増設し、該制御部品４に対応し、該制御部品４への接触の正確度を高めることができる。
注意を要する点は、本実施例では該制御部品４は該第一端子ピン位置２００内部に設置するが、実際には、該制御部品４は該第一コネクタ２０の第一外設挿槽２０２或いは第二外設挿槽２０４内に設置することができ(図示４参照)、該第二端子ピン位置２２２において該制御部品４に対応し接触する凸部(図示なし)を増設し、これによりより正確に該制御部品４に接触可能とする点である。
【００１４】
別に該制御部品４は該パワーサプライ１ケース上の第一コネクタ２０の任意側に設置可能で、該第二コネクタ２２０に対応し、該第一コネクタ２０の範囲面より大きい(図５、６、７参照)。該第二コネクタ２２０の接合面は該第一コネクタ２０より大きく、しかも該第二コネクタ２２０もまた凸部２２９を増設可能で、該制御部品４との接触の正確性を向上させることができる。
こうして該制御部品４を運用することで、使用者は該オーバーロード保護回路１０を手動で切り換えるかどうかを判別する必要がない状況において、該第一、第二コネクタ２０、２２０の電気連接状態と電気分離状態により、該制御部品４の接触を通して、該オーバーロード保護回路１０は該第一、第二オーバーロード保護メカニズムに自動的に切り換えられ、正常出力電力状態及び切断或いは一時停止出力電力状態を呈する。このように、使用者は該オーバーロード保護回路１０に対する不明瞭により該オーバーロード保護回路１０の電力状態を正確に切り換えることができないという状況を避けることができ、さらには、該オーバーロード保護回路１０の切り替えスイッチへの誤接触を防ぎ、電子装置３に損害を与える恐れを払拭することができる。
【００１５】
本考案第五最適実施の立体表示図である図８に示すように、該転換部品２２は両端に該第二コネクタ２２０と第三コネクタ２２１を備える転換器２３０、及び両端に第四コネクタ２２３、第五コネクタ２２５を備え、その間に電力線２２４を設置する電力伝送線２２６を含む。該第三コネクタ２２１は該第四コネクタ２２３、該第五コネクタ２２５を接続し、末端の電子装置３の第六コネクタ３０に接続する。この他、図３のように、該制御部品４は該第一コネクタ２０の第一端子ピン位置２００内部に設置することができる。
注意を要する点は、本実施例では該転換部品２２は該転換器２３０と該電力伝送線２２６を含むが、実際には該転換部品２２は両端に該第二コネクタ２２３、該第五コネクタ２２５を備え、その間には該電力線２２４の電力伝送線２２７を設置することができる点である。
こうして該転換器３０、或いは該電力伝送線２２７の転換部品２２は、該パワーサプライ１を該電子装置３に電気的に接続させる他に、該第一コネクタ２０と該第二コネクタ２２０の挿入接続を提供し、該制御部品４を触動する。このため、該電子背負う値３の構造を改変する必要がない状態で、該制御部品４の触動を提供可能で、こうして該オーバーロード保護回路１０の第一、第二オーバーロード保護メカニズムを切り換える。
【００１６】
本考案第六最適実施の立体表示図である図９に含むように、本実施例と上記実施例の差異は、パワーサプライ１が旧規格のパワーサプライである点である。第一コネクタ２０は第一組電力線１２を通して該パワーサプライ１に電気的に接続し、しかも制御部品４はもまた該第一組電力線１２を通して第一、第二信号を伝送する。該第一組電力線１２により該第一コネクタ２０は該電子装置３に直接挿入接続され、該第一コネクタ２０の第六コネクタ３０に対応し電気的に接続する。
また本実施例において、オーバーロード保護回路１０の出力信号直流電力出力状態は低電流出力状態と光電流出力状態を含み、内、第一信号を該オーバーロード保護回路１０に入力する第一オーバーロード保護メカニズムは低オーバーロード保護メカニズムで、低電流出力を提供する。第二信号を該オーバーロード保護回路１０に入力する第二オーバーロード保護メカニズムは高オーバーロード保護メカニズムで、高電流出力を提供する。
本実施例中では、低オーバーロード保護メカニズムが提供する低電流出力は２０アンペアで、高オーバーロード保護メカニズムが提供する高電流出力は３０アンペアである。
こうして旧規格のパワーサプライ１も該第一電力線１２により該第一コネクタ２０により上記実施例の転換部品２２を経由する必要なく、末端の電子装置３の第六コネクタ３０に接続することができる。
この他、該第一コネクタ２０と該第六コネクタ３０の間には転換部品を設置することもできる。該転換部品は両端に第二コネクタ２２０と第五コネクタ２２５を備える転換器２２８(図１０参照)で、また両端に第二コネクタ２２０と第五コネクタ２２５を備え、その間に電力線２２４の電力伝送線２２７を設置する(図１１参照)ことができる。また、該転換部品は図８に示す転換器と電力伝送線の組合せとすることもできる。
【図面の簡単な説明】
【００１７】
【図１】本考案第一最適実施例の構造表示図である。
【図２】本考案第一最適実施例の立体表示図である。
【図３】本考案第一最適実施例制御部品の立体表示図である。
【図４】本考案第二最適実施例制御部品の立体表示図である。
【図５】本考案第三最適実施例制御部品の立体表示図である。
【図６】図５の拡大表示図である。
【図７】本考案第四最適実施例の部分拡大表示図である。
【図８】本考案第五最適実施の立体表示図である。
【図９】本考案第六最適実施の立体表示図である。
【図１０】本考案第七最適実施の立体表示図である。
【図１１】本考案第八最適実施の立体表示図である。
【符号の説明】
【００１８】
１  パワーサプライ
１０  オーバーロード保護回路
１２  第一組電力線
２  制御機構
２０  第一コネクタ
２００  第一端子ピン位置
２０２  第一外設挿槽
２０４  第二外設挿槽
２２  転換部品
２３０  転換器
２２０  第二コネクタ
２２１  第三コネクタ
２２２  第二端子ピン位置
２２３  第四コネクタ
２２４  電力線
２２５  第五コネクタ
２２６  電力伝送線
２２９  凸部
３  電子装置
３０  第六コネクタ
４  制御部品
４０  可動柱
４２  バネ
４４  スイッチ
【図１】
0003128195.tif 000003
【図２】
0003128195.tif 000004
【図３】
0003128195.tif 000005
【図４】
0003128195.tif 000006
【図５】
0003128195.tif 000007
【図６】
0003128195.tif 000008
【図７】
0003128195.tif 000009
【図８】
0003128195.tif 000010
【図９】
0003128195.tif 000011
【図１０】
0003128195.tif 000012
【図１１】
0003128195.tif 000013